(57)【要約】【課題】利用者の操作上の手間を軽減する。【解決手段】テレビ１の表示制御部２２０ｃは、裏番組からなる母集団から抽出された推薦コンテンツに対応する推薦コンテンツパネル１２２ａと、未来番組からなる母集団から抽出された推薦コンテンツに対応する推薦コンテンツパネル１２２ｂとをディスプレイ２０５に同時に表示させる。【選択図】図４
2014027672.tif 000002
【特許請求の範囲】
【請求項１】
利用者に推薦する推薦コンテンツを抽出する抽出処理を行う抽出手段と、前記推薦コンテンツを特定するものであり且つ当該特定されている推薦コンテンツに関する操作指示を行うための推薦アイコンを表示部に表示させる表示制御手段とを備えたコンテンツ推薦装置であって、
前記表示制御手段は、
前記抽出処理において第１の母集団から抽出された推薦コンテンツに対応する推薦アイコンと、前記抽出処理において第１の母集団とは属性の異なる第２の母集団から抽出された推薦コンテンツに対応する推薦アイコンとを前記表示部に同時に表示させるようになっており、
さらに、前記表示制御手段は、
（ａ）複数個の前記推薦アイコンを一列に並べたアイコン表示ゾーンを前記表示部に表示させ、（ｂ）利用者の操作に応じて、前記アイコン表示ゾーンのうちのフォーカス枠に囲われる箇所に位置するアイコンを順次切り替えるようになっており、
前記コンテンツ推薦装置は、
前記フォーカス枠に囲われる箇所に位置しているアイコンを選択候補として認識し、利用者からアイコン選択命令が入力されると前記選択候補のアイコンを選択するアイコン選択手段を備えることを特徴とするコンテンツ推薦装置。
【請求項２】
前記表示制御手段は、
前記推薦アイコンを、前記推薦アイコンに対応する推薦コンテンツの推薦理由毎のグループに分類しており、前記アイコン表示ゾーンの表示を開始するためのコマンドが利用者から入力されると、前記アイコン選択手段に過去に選択された推薦アイコンのうち選択時点が現時点から最も近い推薦アイコンの属するグループのなかのいずれかの推薦アイコンが前記フォーカス枠に囲われる箇所に初期配置されるように前記アイコン表示ゾーンの表示を開始することを特徴とする請求項１に記載のコンテンツ推薦装置。
【請求項３】
利用者に推薦する推薦コンテンツを抽出する抽出処理を行う抽出手段と、前記推薦コンテンツを特定するものであり且つ当該特定されている推薦コンテンツに関する操作指示を行うための推薦アイコンを表示部に表示させる表示制御手段とを備えたコンテンツ推薦装置であって、
前記表示制御手段は、
前記抽出処理において第１の母集団から抽出された推薦コンテンツに対応する推薦アイコンと、前記抽出処理において第１の母集団とは属性の異なる第２の母集団から抽出された推薦コンテンツに対応する推薦アイコンとを前記表示部に同時に表示させるようになっており、
さらに、前記表示制御手段は、
（ａ）複数個の前記推薦アイコンを一列に並べたアイコン表示ゾーンを前記表示部に表示させ、（ｂ）利用者の操作に応じて、前記アイコン表示ゾーンに示されるアイコンをスクロールさせることで、前記アイコン表示ゾーンのうちの所定箇所に位置するアイコンを順次切り替えるようになっており、
前記コンテンツ推薦装置は、
前記所定箇所に位置しているアイコンを選択候補として認識し、利用者からアイコン選択命令が入力されると前記選択候補のアイコンを選択するアイコン選択手段を備えることを特徴とするコンテンツ推薦装置。
【請求項４】
前記表示制御手段は、
前記推薦アイコンを、前記推薦アイコンに対応する推薦コンテンツの推薦理由毎のグループに分類しており、前記アイコン表示ゾーンの表示を開始するためのコマンドが利用者から入力されると、前記アイコン選択手段に過去に選択された推薦アイコンのうち選択時点が現時点から最も近い推薦アイコンの属するグループのなかのいずれかの推薦アイコンが前記所定箇所に初期配置されるように前記アイコン表示ゾーンの表示を開始することを特徴とする請求項３に記載のコンテンツ推薦装置。
【請求項５】
前記アイコン表示ゾーンは複数個の前記推薦アイコンと、前記推薦アイコンとは異なるものであり前記コンテンツ推薦装置に対する操作指示を行うための複数個の機能アイコンとを一列に並べたことを特徴とする、請求項１から３のいずれか１項に記載のコンテンツ推薦装置。
【発明の詳細な説明】
【技術分野】
【０００１】
本発明は、利用者にコンテンツを推薦するコンテンツ推薦装置に関するものである。
【背景技術】
【０００２】
近年のテレビには、利用者の操作の便宜性を向上させるために、様々な機能が搭載されている。例えば、利用者に推薦する推薦コンテンツを電子番組表等から抽出する抽出処理を行い、抽出された推薦コンテンツのタイトル等を示すものであって当該推薦コンテンツに関する操作を行うためのアイコンを表示するコンテンツ推薦機能が知られている。
【先行技術文献】
【特許文献】
【０００３】
【特許文献１】特開２０１１−１６６２５２号公報（２０１１年８月２５日公開）
【発明の概要】
【発明が解決しようとする課題】
【０００４】
従来のコンテンツ推薦機能によれば、互いに属性の異なる複数の母集団から前記抽出処理を行い、抽出元の母集団毎に異なる画面で前記アイコンを表示させるようになっている。例えば、裏番組からなる母集団から抽出された推薦コンテンツに関するアイコンと、未放送番組（未来番組）からなる母集団から抽出された推薦コンテンツに関するアイコンとは互いに別々の画面で表示されている。
【０００５】
したがって、利用者からすれば、裏番組の推薦コンテンツに関するアイコンを見た後に、未放送番組の推薦コンテンツ情報に関するアイコンを確認する場合、裏番組の推薦コンテンツ情報が列挙されている画面を閉じた後に未放送番組の推薦コンテンツ情報が列挙されている画面を表示させなければならず、操作の手間が生じるという問題があった。
【０００６】
本発明は、前記の問題に鑑みてなされたものであり、利用者にコンテンツを推薦するコンテンツ推薦装置において、利用者の操作上の手間を軽減することを目的とするものである。
【課題を解決するための手段】
【０００７】
上記の目的の達成のため、本発明のコンテンツ推薦装置は、利用者に推薦する推薦コンテンツを抽出する抽出処理を行う抽出手段と、前記推薦コンテンツを特定するものであり且つ当該特定されている推薦コンテンツに関する操作指示を行うための推薦アイコンを表示部に表示させる表示制御手段とを備えたコンテンツ推薦装置であって、前記表示制御手段は、前記抽出処理において第１の母集団から抽出された推薦コンテンツに対応する推薦アイコンと、前記抽出処理において第１の母集団とは属性の異なる第２の母集団から抽出された推薦コンテンツに対応する推薦アイコンとを前記表示部に同時に表示させるようになっており、さらに、前記表示制御手段は、（ａ）複数個の前記推薦アイコンを一列に並べたアイコン表示ゾーンを前記表示部に表示させ、（ｂ）利用者の操作に応じて、前記アイコン表示ゾーンのうちのフォーカス枠に囲われる箇所に位置するアイコンを順次切り替えるようになっており、前記コンテンツ推薦装置は、前記フォーカス枠に囲われる箇所に位置しているアイコンを選択候補として認識し、利用者からアイコン選択命令が入力されると前記選択候補のアイコンを選択するアイコン選択手段を備えることを特徴とする。
【発明の効果】
【０００８】
本発明の構成によれば、利用者は、第１の母集団（例えば裏番組からなる母集団）から抽出された推薦コンテンツの推薦アイコンと、第２の母集団（例えば未放送番組からなる母集団）から抽出された推薦コンテンツの推薦アイコンとを同時に確認できるため、従来のコンテンツ推薦機能において生じていた操作上の手間を抑制できるという効果を奏する。
【図面の簡単な説明】
【０００９】
【図１】本発明の一実施形態のテレビおよび周辺機器のハードウェア構成を示すブロック図である。
【図２】図１のテレビのディスプレイに表示されるメニュー画面の構成を示す画面構成図である。
【図３】図１のテレビにおける画面遷移を示す画面遷移図である。
【図４】機能・レコメンドゾーンがフォーカス状態にされた場合のメニュー画面を示す図である。
【図５】図１に示す抽出処理部にて抽出された推薦コンテンツに対応する推薦コンテンツパネルを説明するための図である。
【図６】メーカーサーバから取得した推薦コンテンツ情報に示される推薦コンテンツに対応する推薦コンテンツパネルを説明するための図である。
【図７】機能・レコメンドゾーンの中央に初期配置される推薦コンテンツパネルを説明するための図である。
【発明を実施するための形態】
【００１０】
[テレビの構成]
本発明の表示装置の一実施形態であるテレビジョン受像機（以下「テレビ」と称す）について、図に基づいて以下詳細に説明する。図１は、本実施形態のテレビ１および周辺機器を示したブロック図である。
【００１１】
テレビ１は、リモートコントローラ（以下、単にリモコンと称する）１０とともに使用される。リモコン１０は、テレビ１と赤外線により無線通信を行い、ユーザの操作に応じテレビ１に対して各種の指示入力を行う。リモコン１０は、テレビ１のディスプレイにメニュー画面を表示するためのホームボタンや、画面上の操作を行うための上ボタン、下ボタン、右ボタン、左ボタン、決定ボタン、戻るボタン、終了ボタンなどを有している。そして、リモコン１０は押下されたボタンを示す信号をテレビ１に送る。
【００１２】
また、テレビ１はＵＳＢ（Universal Serial Bus）端子を有しており、当該ＵＳＢ端子を介してＨＤＤ（ハードディスクドライブ）２０と接続することが可能である。ＨＤＤ２０は、テレビ１が受信した放送番組を録画番組として記憶するためのものである。すなわち、ＨＤＤ２０は、録画番組に対応するデータを記憶している。
【００１３】
テレビ１は、図１に示すように、チューナ２０１、ビデオデコーダ２０２、映像処理部２０３、ディスプレイコントローラ２０４、ディスプレイ２０５、オーディオデコーダ２０６、音声処理部２０７、アンプ２０８、スピーカ２０９、ＨＤＭＩ（登録商標）レシーバ２１０、ＬＡＮインタフェース２１１、赤外線受光部２１２、録画処理部２１３、および、制御装置２２０を備えている。
【００１４】
チューナ２０１は、地上波デジタル放送、ＢＳ放送、または、ＣＳ放送の放送波から符号化映像信号と符号化音声信号とを復調する。ビデオデコーダ２０２は、チューナ２０１にて復調された符号化映像信号を復号する。ビデオデコーダ２０２にて復号された映像信号は、映像処理部２０３を介してディスプレイコントローラ２０４に供給される。ディスプレイコントローラ２０４は、映像処理部２０３により処理された映像信号が表す映像を表示するべく、ディスプレイ２０５を制御する。オーディオデコーダ２０６は、チューナ２０１にて復調された符号化音声信号を復号する。オーディオデコーダ２０６にて復号された音声信号は、音声処理部２０７を介してアンプ２０８に供給される。アンプ２０８は、音声処理部２０７により処理された音声信号が表す音声を出力すべく、スピーカ２０９を駆動する。
【００１５】
ＨＤＭＩレシーバ２１０は、ソース機器から供給された映像信号及び音声信号を受信する。ＨＤＭＩレシーバ２１０により受信された映像信号及び音声信号は、それぞれ、映像処理部２０３及び音声処理部２０７に供給され、チューナ２０１により復調された映像信号及び音声信号と同様、ディスプレイ２０５及びスピーカ２０９から出力される。
【００１６】
また、ＬＡＮインタフェース２１１は、ＷＥＢサーバ及びＶＯＤサーバから、それぞれ、ＷＥＢコンテンツ及びＶＯＤコンテンツを取得する。これらのネットワークコンテンツは、何れも、制御装置２２０にてソフトウェア的にデコードされる。制御装置２２０にてデコードされたネットワークコンテンツを表す映像信号及び音声信号は、それぞれ、映像処理部２０３及び音声処理部２０７に供給され、チューナ２０１により復調された映像信号及び音声信号と同様、ディスプレイ２０５及びスピーカ２０９から出力される。
【００１７】
赤外線受光部２１２は、リモコン１０からの信号（リモコン信号）を受信し、制御装置２２０に送る。
【００１８】
録画処理部２１３は、制御装置２２０からの指示に従って、指定された放送番組について、ビデオデコーダ２０２により復号された映像信号、オーディオデコーダ２０６により復号化された音声信号、及び当該放送番組の番組情報とを対応付けてＨＤＤ２０に記録させる処理を行う。なお、録画処理部２１３は、電子番組表から番組情報を取得すればよい。また、録画処理部２１３によりＨＤＤ２０に録画された録画番組の映像信号及び音声信号は、制御装置２２０からの指示により映像処理部２０３及び音声処理部２０７に入力されることで、録画番組が再生される。
【００１９】
制御装置２２０は、上述した機能に加えて、メニュー画面を表す映像信号を生成する機能を有している。制御装置２２０にて生成されたメニュー画面を表す映像信号は、映像処理部２０３に供給され、チューナ２０１により復調された映像信号と同様、ディスプレイ２０５から出力される。なお、制御装置２２０は、メニュー画面を表す映像信号を生成するために必要となる各種情報を、ＬＡＮインタフェース２１１を介してメーカーサーバから取得することができる。また、制御装置２２０は、赤外線受光部２１２が受信したリモコン信号に応じてメニュー画面を遷移させる。
【００２０】
なお、制御装置２２０は、ＣＰＵ（Central Processing Unit）、ＲＯＭ（Read Only Memory）、ＲＡＭ（Random Access Memory）等を備えて構成されているコンピュータであって、ＲＯＭ、ＲＡＭ等に記録されているプログラムをＣＰＵが実行することにより、上述した各機能を実現する。
【００２１】
[メニュー画面]
次に、ディスプレイ２０５にて表示されるメニュー画面１００について、図２を参照して説明する。図２は、テレビ１のディスプレイ２０５にて表示されるメニュー画面１００の構成を示す画面構成図である。
【００２２】
メニュー画面１００は、リモコン１０に設けられたホームボタンが押下されたときにテレビ１が表示する画面であり、図２に示すように、インフォゾーン１１０と、機能・レコメンドゾーン１２０と、ネットサービスゾーン１３０とを含む。以下、インフォゾーン１１０、機能・レコメンドゾーン１２０、および、ネットサービスゾーン１３０について説明する。
【００２３】
（インフォゾーン）
インフォゾーン１１０は、各種情報を表示するための領域であり、情報表示領域と言い換えることもできる。インフォゾーン１１０は、ユーザネーム表示領域１１１、お知らせ一覧ボタン１１２ａ、ログインボタン１１２ｂ、設定ボタン１１２ｃ、時間表示領域１１３、天気表示領域１１４、ライブ映像表示領域１１５、バナー１１６ａ〜１１６ｃ、バナー詳細表示領域１１６ｄ、および、インフォメーション表示領域１１７を含む。
【００２４】
ユーザネーム表示領域１１１は、ユーザネームを表示するための領域である。テレビ１は、その製造メーカー等が提供する特定のサーバ（以下、「メーカーサーバ」と記載）にログインする機能を有しており、メーカーサーバへのログインを完了すると、ログインの際に使用したユーザネームをユーザネーム表示領域１１１に表示する。なお、ログインを完了するまでの間、テレビ１は、ログアウト状態であることを示す文字列（図１では「ようこそゲストさん」）をユーザネーム表示領域１１１に表示する。
【００２５】
お知らせ一覧ボタン１１２ａは、お知らせ一覧画面を呼び出すためのボタンである。お知らせ一覧ボタン１１２ａがフォーカスされている状態でリモコンの決定ボタンが押下されると、テレビ１は、ディスプレイに表示する画面を、メニュー画面１００からお知らせ一覧画面へと遷移させる。なお、お知らせ一覧ボタン１１２ａは、テレビ１がネットワークに接続されている場合にのみフォーカス可能となる。
【００２６】
ログインボタン１１２ｂは、ログイン画面を呼び出すためのボタンである。ログインボタン１１２ｂがフォーカスされている状態でリモコン１０の決定ボタンが押下されると、テレビ１は、ディスプレイ２０５に表示する画面を、メニュー画面１００からログイン画面へと遷移させる。なお、ログインボタン１１２ｂは、テレビ１がネットワークに接続されている場合にのみフォーカス可能となる。
【００２７】
設定ボタン１１２ｃは、設定画面を呼び出すためのボタンである。設定ボタン１１２ｃがフォーカスされている状態でリモコン１０の決定ボタンが押下されると、テレビ１は、ディスプレイ２０５に表示する画面を、メニュー画面１００から設定画面へと遷移させる。なお、設定ボタン１１２ｃは、テレビ１がネットワークに接続されているか否かに拠らずフォーカス可能である。
【００２８】
時間表示領域１１３は、現在時刻を表示するための領域である。時間表示領域１１３における現在時刻の表示形式は任意であるが、本実施形態においては、図２に示すように、「午前＊＊：＊＊」「＊＊＊＊年＊＊月＊＊日＊曜日」という表示形式を採用している。なお、時間表示領域１１３に表示する現在時刻は、例えば、テレビ１に内蔵された時計から取得してもよいし、テレビ１に接続されたＮＴＰサーバから取得してもよい。
【００２９】
天気表示領域１１４は、テレビ１が設置されている地域の天候情報を表示するための領域である。天気表示領域１１４における天候情報の表示形式は任意であるが、本実施形態においては、天気アイコン（図２の例では晴れのち曇りのアイコン）、地域名（図２の例では「矢板市」）、及びコメント（図２の例では「関東北部は花粉飛散量大の見込み」）を含む表示形式を採用している。なお、天気表示領域１１４に表示する天候情報は、メーカーサーバ等から取得したものであってもよいし、データ放送から抽出したものであってもよい。
【００３０】
ライブ映像表示領域１１５は、メニュー画面１００に遷移する直前に全画面表示していた映像（動画像又は静止画像）を縮小表示するための領域である。例えば、メニュー画面１００に遷移する直前にある放送番組が全画面表示されていた場合、ライブ映像表示領域１１５には、その放送番組が引き続き縮小表示されることになる。また、メニュー画面１００に遷移する直前にある録画番組が全画面表示されていた場合、ライブ映像表示領域１１５には、その録画番組が引き続き表示されることになる。また、メニュー画面１００に遷移する直前にあるウェブページが全画面表示されていた場合、ライブ映像表示領域１１５には、そのウェブページが引き続き表示されることになる。なお、ライブ映像表示領域１１５は、テレビ１がネットワークに接続されているか否かに拠らずフォーカス可能である。ライブ映像表示領域１１５がフォーカスされている状態でリモコン１０の決定ボタンが押下されると、テレビ１は、メニュー画面１００の表示を終了すると共に、ライブ映像の全画面表示を再開する。
【００３１】
バナー１１６ａ〜１１６ｃは、メーカーサーバから提供されたバナーであり、例えば、メーカーサーバから提供されたバナー広告である。バナー１１６ａ〜１１６ｃは、テレビ１がネットワークに接続されるか否かに拠らずフォーカス可能であり、バナー詳細表示領域１１６ｄには、フォーカスされているバナーに対応する詳細情報が表示される。バナー１１６ａ〜１１６ｃ、及び、バナー１１６ａ〜１１６ｃの各々に対応する詳細情報は、テレビ１がネットワークに接続されているときにメーカーサーバからダウンロードされ、テレビ１に蓄積される。
【００３２】
インフォメーション表示領域１１７は、メーカーサーバから提供された任意の文字列を表示するための領域である。インフォメーション表示領域１１７に表示される文字列は、インフォメーション表示領域１１７の右端から左端へと流れる。そして、最後の文字がインフォメーション表示領域１１７の左端からフレームアウトすると、最初の文字がインフォメーション表示領域１１７の右端からフレームインする。
【００３３】
なお、以下の説明においては、インフォゾーン１１０を構成するＵＩ（User Interface）要素のうち、フォーカス可能なＵＩ要素のことを、メニュー項目と総称する。具体的には、お知らせ一覧ボタン１１２ａ、ログインボタン１１２ｂ、設定ボタン１１２ｃ、ライブ映像表示領域１１５、及びバナー１１６ａ〜１１６ｃがメニュー項目に該当する。
【００３４】
（機能・レコメンドゾーン）
機能・レコメンドゾーン１２０は、各種機能に対応するパネル（以下、「機能パネル」と記載）と、各種推薦コンテンツに対応するパネル（以下、「推薦コンテンツパネル」と記載）とを表示するための領域であり、パネル表示領域と言い換えることもできる。
【００３５】
図２において、符号１２１ａ、１２１ｂに示されるパネルが機能パネルであり、符号１２２ａ、１２２ｂ、１２２ｃに示されるパネルが推薦コンテンツパネルである。なお、以下の説明において、機能パネル１２１ａ，１２１ｂをまとめて指す場合には機能パネル１２１と称し、推薦コンテンツパネル１２２ａ〜１２２ｃをまとめて指す場合には推薦コンテンツパネル１２２と称す。
【００３６】
機能パネル１２１および推薦コンテンツパネル１２２は、機能・レコメンドゾーン１２０内に横一列に並べられる。
【００３７】
機能パネル１２１は、テレビ１が有する複数の機能の各々に対応するパネルである。ある機能パネル１２１がフォーカスされている状態でリモコンの決定ボタンが押下されると、テレビ１は、ディスプレイに表示する画面を、メニュー画面１００から、フォーカスされている機能パネル１２１に対応する機能を利用するための画面へと遷移させる。
【００３８】
本実施形態においては、機能パネル１２１として、裏番組パネル、スマートサーチパネル、録画リストパネル、入力切替パネル、番組表パネル、及びカレンダーパネルが用意される。例えば、裏番組パネルがフォーカスされている状態でリモコン１０の決定ボタンが押下されると、制御装置２２０は、ディスプレイ２０５に表示する画面を、メニュー画面１００から裏番組選択画面へと遷移させる。また、スマートサーチパネルがフォーカスされている状態でリモコン１０の決定ボタンが押下されると、制御装置２２０は、ディスプレイ２０５に表示する画面を、メニュー画面１００からスマートサーチ画面へと遷移させる。また、録画リストパネルがフォーカスされている状態でリモコン１０の決定ボタンが押下されると、制御装置２２０は、ディスプレイ２０５に表示する画面を、メニュー画面１００から、ＨＤＤ２０に記録されている録画番組のリストを示す録画リスト画面へと遷移させる。
【００３９】
推薦コンテンツパネル１２２は、テレビ１が選択（抽出）した複数の推薦コンテンツ（裏番組、未放送番組、録画番組、又はウェブページ）の各々に対応するパネルである。ある推薦コンテンツパネル１２２がフォーカスされている状態でリモコン１０の決定ボタンが押下されると、制御装置２２０は、対応する推薦コンテンツの全画面表示を開始するか（推薦コンテンツが裏番組、録画番組、又はウェブページの場合）、又は、対応する推薦コンテンツの録画予約を行うための録画予約画面の全画面表示を開始する（推薦コンテンツが未放送番組の場合）。
【００４０】
なお、以下の説明においては、機能・レコメンドゾーン１２０を構成するＵＩ（User Interface）要素のうち、フォーカス可能なＵＩ要素のことを、メニュー項目と総称する。具体的には、機能パネル１２１及び推薦コンテンツパネル１２２がメニュー項目に該当する。
【００４１】
また、機能・レコメンドゾーン１２０に表示されるメニュー項目（特に推薦コンテンツパネル１２２）の詳細については後に詳述する。
【００４２】
（ネットサービスゾーン）
ネットサービスゾーン１３０は、各種ネットサービスに対応するアイコン１３１を表示するための領域である。アイコン１３１がフォーカスされている状態でリモコン１０の決定ボタンが押下されると、制御装置２２０は、ディスプレイ２０５に表示する画面を、メニュー画面１００から、フォーカスされている状態のアイコン１３１に対応するネットサービスを利用するための画面へと遷移させる。
【００４３】
本実施形態においては、アイコン１３１として、ＩＰＴＶアイコン、写真・マガジンアイコン、ショッピングアイコン、検索・ＴＶポータルアイコン、ネット動画アイコン、コミュニケーションアイコン、暮らしサポートアイコン、サービス一覧アイコン、及びブックマークアイコンが用意される。
【００４４】
なお、各種ネットサービスに対応するアイコン１３１は、テレビ１がＬＡＮインタフェース２１１を介してネットワークに接続されているときに限って表示される。テレビ１がネットワークに接続されていない場合には、ネットワークに接続されていない旨を示すメッセージ、ネットワーク接続を奨励する動画コンテンツを呼び出すためのボタン、ネットワーク設定画面を呼び出すためのボタンなどをネットサービスゾーン１３０に表示するとよい。
【００４５】
なお、以下の説明においては、ネットサービスゾーン１３０を構成するＵＩ（User Interface）要素のうち、フォーカス可能なＵＩ要素のことを、メニュー項目と総称する。具体的には、アイコン１３１がメニュー項目に該当する。
【００４６】
（画面遷移）
つぎに、テレビ１における画面遷移について、図３を参照して説明する。図３は、テレビ１における画面遷移を示す画面遷移図である。
【００４７】
放送番組等のライブ映像が全画面表示されているときにリモコン１０のホームボタンが押下されると、制御装置２２０は、図３に示すように、ディスプレイ２０５に表示する画面を、ライブ映像（全画面表示）３００からメニュー画面１００へと遷移させる。
【００４８】
メニュー画面１００の状態は、インフォゾーンフォーカス状態、機能・レコメンドゾーンフォーカス状態、および、ネットサービスゾーンフォーカス状態に大別される。ここで、インフォゾーンフォーカス状態は、インフォゾーン１１０に含まれるメニュー項目の何れか１つがフォーカスされている状態であり、機能・レコメンドゾーンフォーカス状態は、機能・レコメンドゾーン１２０に含まれるメニュー項目の何れか１つがフォーカスされている状態であり、ネットサービスゾーンフォーカス状態は、ネットサービスゾーン１３０に含まれるメニュー項目の何れか１つがフォーカスされている状態である。何れの状態においても、フォーカスされているメニュー項目は、そのメニュー項目を取り囲むフォーカス枠１４０によって、他のメニュー項目と識別可能になっている。
【００４９】
インフォゾーンフォーカス状態においてリモコン１０の右ボタンが押下されると、制御装置２２０は、フォーカスするメニュー項目を、現在フォーカスされているメニュー項目の直ぐ右側に配置されたメニュー項目に変更する。同様に、インフォゾーンフォーカス状態においてリモコン１０の左ボタンが押下されると、制御装置２２０は、フォーカスするメニュー項目を、現在フォーカスされているメニュー項目の直ぐ左側に配置されたメニュー項目に変更する。なお、インフォゾーンフォーカス状態におけるフォーカス移動は、メニュー項目の位置を移動するのではなく、フォーカス枠１４０の位置を移動することによって実現される。
【００５０】
インフォゾーンフォーカス状態においてリモコン１０の下ボタンが押下されると、制御装置２２０は、図３に示すように、メニュー画面１００の状態を、インフォゾーンフォーカス状態から機能・レコメンドゾーンフォーカス状態へと遷移させる。逆に、機能・レコメンドゾーンフォーカス状態においてリモコン１０の上ボタンが押下されると、制御装置２２０は、メニュー画面１００の状態を、機能・レコメンドゾーンフォーカス状態からインフォゾーンフォーカス状態へと遷移させる。
【００５１】
機能・レコメンドゾーンフォーカス状態においてリモコン１０の右ボタンが押下されると、制御装置２２０は、フォーカス枠１４０の位置を機能・レコメンドゾーン１２０の中央に固定しつつ、機能・レコメンドゾーン１２０に表示されているメニュー項目の列を左方向にスクロールさせる。これにより、フォーカス枠１４０に囲まれるメニュー項目は、前記のスクロールの前にフォーカス枠１４０に囲まれていたメニュー項目より右側に配置されているメニュー項目に変更される。同様に、機能・レコメンドゾーンフォーカス状態においてリモコン１０の左ボタンが押下されると、制御装置２２０は、フォーカス枠１４０の位置を固定しつつ、機能・レコメンドゾーン１２０に表示されているメニュー項目の列を右方向にスクロールさせる。これにより、フォーカス枠に囲まれるメニュー項目は、前記のスクロールの前にフォーカス枠１４０に囲まれていたメニュー項目より左側に配置されているメニュー項目に変更する。つまり、機能・レコメンドゾーンフォーカス状態におけるフォーカス移動は、フォーカス枠の位置を移動するのではなく、フォーカス枠を機能・レコメンドゾーンの中央に固定すると共にメニュー項目（機能パネル１２１および推薦コンテンツパネル１２２）をスクロールさせることで実現される。
【００５２】
機能・レコメンドゾーンフォーカス状態においてリモコン１０の下ボタンが押下されると、制御装置２２０は、図３に示すように、メニュー画面１００の状態を、機能・レコメンドゾーンフォーカス状態からネットサービスゾーンフォーカス状態へと遷移させる。逆に、ネットサービスゾーンフォーカス状態においてリモコン１０の上ボタンが押下されると、制御装置２２０は、メニュー画面１００の状態を、ネットサービスゾーンフォーカス状態から機能・レコメンドゾーンフォーカス状態へと遷移させる。
【００５３】
ネットサービスゾーンフォーカス状態おいてリモコン１０の右ボタンが押下されると、制御装置２２０は、フォーカスするメニュー項目を、現在フォーカスされているメニュー項目の直ぐ右側に配置されたメニュー項目に変更する。同様に、ネットサービスゾーンフォーカス状態においてリモコン１０の左ボタンが押下されると、制御装置２２０は、フォーカスするメニュー項目を、現在フォーカスされているメニュー項目の直ぐ左側に配置されたメニュー項目に変更する。ネットサービスゾーンフォーカス状態におけるフォーカス移動は、メニュー項目の位置を移動するのではなく、フォーカス枠の位置を移動することによって実現される。
【００５４】
なお、メニュー画面１００が表示されているときにリモコン１０の戻るボタン、ホームボタン、又は終了ボタンが押下されると、制御装置２２０は、メニュー画面１００の表示を終了すると共に、ライブ映像の全画面表示を再開する。
【００５５】
また、機能・レコメンドゾーンフォーカス状態において（何れかの機能パネル１２１がフォーカスされている状態において）、リモコン１０の決定ボタンが押下されると、制御装置２２０は、ディスプレイ２０５に表示する画面を、メニュー画面１００から、その機能パネル１２１に対応する機能を利用するための画面へと遷移させる。例えば、裏番組パネルがフォーカスされている状態でリモコン１０の決定ボタンが押下されると、制御装置２２０は、ディスプレイ２０５に表示する画面を、メニュー画面１００から裏番組選択画面へと遷移させる。また、スマートサーチパネルがフォーカスされている状態でリモコン１０の決定ボタンが押下されると、制御装置２２０は、ディスプレイに表示する画面を、メニュー画面１００からスマートサーチ画面へと遷移させる。
【００５６】
なお、フォーカスされているメニュー項目の周囲に表示されるフォーカス枠は明滅させることが好ましい。フォーカス枠の明滅周期は、例えば、０．５Ｈｚに設定すればよい。これにより、メニュー項目がカラフルな場合であっても、どのメニュー項目がフォーカスされているかをユーザが把握し易くなる。ただし、フォーカス移動が生じたときにフォーカス枠が暗状態にあると、フォーカス移動が生じたことがユーザに伝わり難くなる。そこで、本実施形態においては、フォーカス移動が生じる度にフォーカス枠の状態を明状態にリセットする構成を採用し、このような問題を回避している。また、フォーカス枠の色は任意であるが、本実施形態においては黄色を用い、背景色が黒の場合にその視認性を高めるように工夫している。
【００５７】
[機能・レコメンドゾーンのメニュー項目]
つぎに、機能・レコメンドゾーン１２０に表示されるメニュー項目について説明する。機能・レコメンドゾーン１２０に表示されるメニュー項目としては、図２を用いて説明したように、テレビ１の機能を特定するものであり当該機能に関する操作指示（当該機能の設定画面への遷移指示）を行うためのアイコンである機能パネル１２１と、利用者に推薦する推薦コンテンツを特定する（利用者に識別させる）ものであり当該推薦コンテンツに関する操作指示を行うためのアイコンである推薦コンテンツパネル１２２とがある。
【００５８】
機能パネル１２１および推薦コンテンツパネル１２２に関するデータ処理は制御装置２２０によって実行される。以下では当該データ処理を実行する制御装置２２０について詳細に説明する。
【００５９】
図１に示されるように、制御装置（コンテンツ推薦装置）２２０は、抽出処理部２２０ａ、取得部２２０ｂ、表示制御部２２０ｃ、パネル選択部２２０ｄを備えている。
【００６０】
抽出処理部（抽出手段）２２０ａは、ホームボタンが押されることによりメニュー画面１００への遷移指示が入力されると、所定の母集団（コンテンツからなる母集団）から推薦コンテンツを抽出する抽出処理を行うブロックである。母集団としては、図５に示されるように、裏番組からなる母集団、未来番組（未放送番組）からなる母集団、録画番組からなる母集団、Ｗｅｂサイトからなる母集団がある。
【００６１】
また、抽出処理における抽出条件（コンテンツの推薦理由）は予め定められている。この抽出条件としては、以下に示す「視聴履歴」「キーワード」「視聴番組関連」「未視聴録画番組」がある。
【００６２】
（視聴履歴）
視聴履歴を抽出条件とした抽出処理は、裏番組の母集団、および、未来番組の母集団の各々について行われる。具体的には、抽出処理部２２０ａは、予め、テレビ１にて視聴された番組を示す履歴情報を記憶部（不図示）に保存しておく。そして、抽出処理部２２０ａは、電子番組表の裏番組のリストから、履歴情報に示される番組と一致する裏番組を推薦コンテンツとして抽出し、電子番組表の未来番組のリストから、履歴情報に示される番組と一致する未来番組を推薦コンテンツとして抽出する。なお、裏番組とは、現時点にて放送されている最中の番組のうちテレビ１にて視聴されている最中の番組以外の番組を指す。また、未来番組とは、現時点では未放送であり未来の時間帯にて放送される番組を指す。
【００６３】
（キーワード）
キーワードを抽出条件とした抽出処理は、裏番組の母集団、および、未来番組の母集団の各々について行われる。具体的には、抽出処理部２２０ａは、予め、利用者によって入力されたキーワードを記憶部（不図示）に保存（登録）しておく。そして、抽出処理部２２０ａは、電子番組表の裏番組のリストから、記憶部に保存されている登録キーワード（番組のタイトル、出演者名）と一致するキーワードが番組情報に示されている裏番組を推薦コンテンツとして抽出し、電子番組表の未来番組のリストから、記憶部に保存されている登録キーワードと一致するキーワードが番組情報に示されている未来番組を推薦コンテンツとして抽出する。
【００６４】
（視聴番組関連）
視聴番組関連（視聴連動）を抽出条件とした抽出処理は、未来番組の母集団、録画番組の母集団、ウェブサイトの母集団の各々について行われる。具体的には、抽出処理部２２０ａは、現時点にてテレビ１にて視聴されている放送番組のキーワードを関連キーワードとして電子番組表の番組情報から取得する。そして、抽出処理部２２０ａは、電子番組表の未来番組のリストから、関連キーワードと一致するキーワードが番組情報に示されている未来番組を推薦コンテンツとして抽出し、ＨＤＤ２０に記録されている各録画番組のうち、関連キーワードと一致するキーワードが番組情報に示されている録画番組を推薦コンテンツとして抽出する。また、抽出処理部２２０ａは、インターネット上のウェブサイトを母集団として、現時点にてテレビ１にて視聴されている放送番組の番組情報に示されているウェブサイトを推薦コンテンツとして抽出する。
【００６５】
（未視聴録画番組）
未視聴録画番組を抽出条件とした抽出処理は録画番組の母集団について行われる。具体的には、抽出処理部２２０ａは、ＨＤＤ２０に記録されている各録画番組のうち、未だ視聴（再生）されていない録画番組を推薦コンテンツとして抽出する。
【００６６】
ここで、以上にて示した抽出処理における抽出条件は、抽出された推薦コンテンツの推薦理由（おすすめ理由）になる。すなわち、抽出処理部２２０ａが抽出処理を行うことにより、下記の（１）〜（８）の推薦コンテンツが抽出されることになる。
（１）利用者の視聴履歴に関係していることを推薦理由とする裏番組
（２）利用者の視聴履歴に関係していることを推薦理由とする未来番組
（３）登録キーワードに関係していることを推薦理由とする裏番組
（４）登録キーワードに関係していることを推薦理由とする未来番組
（５）視聴中の番組に関連することを推薦理由とする未来番組
（６）視聴中の番組に関連することを推薦理由とする録画番組
（７）視聴中の番組に関連することを推薦理由とするウェブサイト
（８）未視聴であることを推薦理由とする録画番組
後述するが、表示制御部２２０ｃは、図５に示すように、前記の（１）〜（８）の推薦コンテンツに対応する推薦コンテンツパネルを生成する。前記の（１）〜（８）の推薦コンテンツは、各々、図５の（１）〜（８）の推薦コンテンツパネルに対応している。
【００６７】
なお、抽出処理部２２０ａにおいて実行される全ての抽出処理は、周知の推薦番組抽出手法を利用することで実現可能である。例えば、視聴履歴を抽出条件とする場合の抽出処理の一例が特開２０１２−２３６８４号公報に示されている。
【００６８】
つぎに、図１の取得部２２０ｂについて説明する。取得部２２０ｂは、メニュー画面１００への遷移指示が入力されると、インターネット（ネットワーク）を介してメーカーサーバ（不図示）から推薦コンテンツを示す推薦コンテンツ情報を取得するようになっている。メーカーサーバとはテレビ１のメーカーが運用しているサーバである。
【００６９】
取得部２２０ｂによって取得される推薦コンテンツ情報とは、前記メーカーや前記メーカーと提携している業者によって作成される番組ランキング（例えば週間ランキング等）を示す情報、ＶＯＤの人気ランキングを示す情報、おすすめのＶＯＤ（またはウェブサイト）を示す情報が挙げられる。
【００７０】
表示制御部（表示制御手段）２２０ｃは、ホームボタンが押されることによりメニュー画面１００への遷移指示が入力されると、図２に示したメニュー画面１００を示す画像データを生成し、この画像データを映像処理部２０３に送ることによってディスプレイ（表示部）２０５にメニュー画面１００を表示させるようになっている。
【００７１】
ここで、表示制御部２２０ｃは、図２および図４に示されるように、メニュー画面１００の機能・レコメンドゾーン１２０において、複数の機能パネル１２１および複数の推薦コンテンツパネル１２２を表示するようになっている。なお、図４は、機能・レコメンドゾーン１２０がフォーカス状態にされた場合のメニュー画面１００を示す図である。
【００７２】
機能パネル１２１は、テレビ１の各種機能を実行させる際の設定画面を表示させる操作指示を行うためのアイコンである。
【００７３】
これに対し、推薦コンテンツパネル１２２は、推薦コンテンツを特定する情報（コンテンツのタイトル）を示すものであって、特定されている推薦コンテンツに関する操作指示（視聴開始、当該推薦コンテンツの録画設定画面への移行）を行うためのアイコンである。
【００７４】
具体的には、表示制御部２２０ｃは、抽出部２２０ａにて抽出された推薦コンテンツ毎に、各推薦コンテンツに対応する推薦コンテンツパネル１２２を機能・レコメンドゾーン１２０に表示する。本実施形態において、表示制御部２２０ｃは、図５の（１）〜（８）に示されるような推薦コンテンツパネルを表示していることになる（説明の便宜上、図５では（１）〜（８）の符号が使用されているが、図５の（１）〜（８）の推薦コンテンツパネルは図２または図４において推薦コンテンツパネル１２２として表示されるものである。
【００７５】
また、図５に示される推薦コンテンツパネル（１）〜（６）（８）の「○○○」は推薦コンテンツの番組タイトルであり、推薦コンテンツパネル（７）に示されるＵＲＬは推薦コンテンツ（ウェブサイト）のＵＲＬである。つまり、抽出部２２０ａにて抽出された推薦コンテンツに対応する推薦コンテンツパネルには、推薦コンテンツを特定する情報（利用者に推薦コンテンツを識別させる情報）として番組タイトルまたはＵＲＬが表示されているのである。
【００７６】
また、表示制御部２２０ｃは、抽出部２２０ａにて抽出された推薦コンテンツに対応する推薦コンテンツパネルの各々において、推薦コンテンツの抽出元となった母集団の属性（裏番組、未来番組等）を示す情報を表示する。例えば、図５の（１）（３）に示すように、裏番組を母集団とする推薦コンテンツの推薦コンテンツパネルには、「おすすめ裏番組」という情報（母集団の属性を示す情報）が付されている。図５の（２）（４）（５）に示すように、未来番組を母集団とする推薦コンテンツの推薦コンテンツパネルには、「おすすめ未来番組」という情報が付されている。図５の（６）（８）に示すように、録画番組を母集団とする推薦コンテンツの推薦コンテンツパネルには、「おすすめ録画番組」という情報が付されている。また、図５の（７）に示すように、ウェブサイトを母集団とする推薦コンテンツの推薦コンテンツパネルには、「おすすめＷｅｂサイト」という情報が付されている。
【００７７】
さらに、表示制御部２２０ｃは、抽出部２２０ａにて抽出された推薦コンテンツに対応する推薦コンテンツパネルの各々において、推薦理由を示す情報を表示する。具体的には、各推薦コンテンツパネルに対して、推薦理由を識別する色のリボン（情報）が付されている。また、各リボンには推薦理由を示す文字（情報）が示されている。
【００７８】
例えば、図５に示すように、視聴履歴に関係することを推薦理由とする推薦コンテンツパネル（推薦アイコン）には、この推薦理由を意味する緑色のリボンが示され、この緑色のリボン（符号ａ参照）には「視聴履歴」という文字が付されている。また、登録キーワードに関係することを推薦理由とする推薦コンテンツパネルには、この推薦理由を意味するピンク色のリボンが示され、このピンク色のリボン（符号ｂ参照）には「キーワード」という文字が付されている。また、視聴中の番組に関連することを推薦理由とする推薦コンテンツパネルには、この推薦理由を意味するオレンジ色のリボンが示され、このオレンジ色のリボン（符号ｃ参照）には「関連情報」という文字が付されている。また、未視聴録画であることを推薦理由とする推薦コンテンツパネルには、この推薦理由を意味する赤色のリボンが付され、この赤色のリボン（符号ｄ参照）には「録画ＮＥＷ」という文字が付されている。
【００７９】
また、表示制御部２２０ｃは、取得部２２０ｂにて取得される推薦コンテンツ情報に示される推薦コンテンツについても、推薦コンテンツパネル１２２を機能・レコメンドゾーン１２０に表示する。但し、取得部２２０ｂにて取得される推薦コンテンツ情報に示される推薦コンテンツについてはコンテンツ毎に推薦コンテンツパネルが示されるのではなく、取得された推薦コンテンツ情報毎に推薦コンテンツパネルが生成される。例えば、ランキングの上位３番組を示すランキング情報が推薦コンテンツ情報として取得されると、図６の（９）に示すように、１つの推薦コンテンツパネルにおいてランキングの上位３番組が推薦コンテンツとして示されることになる。
【００８０】
なお、本実施形態では、表示制御部２２０ｃは、取得部２２０ｂにて取得される推薦コンテンツ情報について、図６の（９）〜（１３）に示されるような推薦コンテンツパネルを表示していることになる。図６の（９）は、番組ランキング（ベスト３）にランクインされた番組を推薦コンテンツとした推薦コンテンツパネルであり、図６の（１０）は、ＶＯＤランキング（ベスト３）にランクインされたＶＯＤを推薦コンテンツとした推薦コンテンツパネルである。また、図６の（１１）は、特定業者（例えばレンタルビデオ店）が勧めているＶＯＤを推薦コンテンツとした推薦コンテンツパネルである。また、図６の（１２）、（１３）は、特定業者（たとえばメーカー）が勧めているウェブサイトを推薦コンテンツとした推薦コンテンツパネルである。
【００８１】
さらに、表示制御部２２０ｃは、インターネットを介して取得される推薦コンテンツ情報に基づく推薦コンテンツパネル（図６）の各々においても、推薦理由を示す情報(リボン）を表示する。但し、インターネット系の各推薦コンテンツパネル（図６）のリボンは、図５の推薦コンテンツパネルのリボンと若干異なる性質を有している。具体的には、図６の各推薦コンテンツパネルのリボンは２つの推薦理由を示している。つまり、図６の各推薦コンテンツパネルの各リボンの色は１つめの推薦理由を示す色になっており、各リボンに示される文字は２つめの推薦理由を示す内容になっている。
【００８２】
具体的には、図６に示される推薦コンテンツパネル（９）〜（１３）は、インターネットを介して取得された情報に基づいて推薦されたものであることから、インターネット上の情報が推薦理由であることを示す青色のリボンが付されている。また、推薦コンテンツパネル（９）および（１０）のリボンには、ランキングのベスト３が推薦理由であることを示す文字（ベスト３）が示されている。また、推薦コンテンツパネル（１１）には、人気が高い事が推薦理由であることを示す文字（人気コンテンツ）が示されている。
【００８３】
表示制御部２２０ｃは、図２に示すように、以上にて説明した各推薦コンテンツパネル１２２と、機能パネル１２１とを一列に並べて機能・レコメンドゾーン１２０に表示している。
【００８４】
ここで、表示制御部２２０ｃは、図２および図４に示すように、裏番組から抽出された推薦コンテンツの推薦コンテンツパネル１２２ａと、未来番組から抽出された推薦コンテンツの推薦コンテンツパネル１２２ｂとが隣り合うように配置し、裏番組から抽出された推薦コンテンツに対応する推薦コンテンツパネル１２２ａと未来番組から抽出された推薦コンテンツの推薦コンテンツパネル１２２ｂとを同時に表示させるようになっている。これにより、利用者は、互いに母集団の属性が異なる複数の推薦コンテンツを同時に確認でき、母集団毎に異なる画面で推薦コンテンツが表示されていた従来構成よりも操作上の手間を抑制できるのである。
【００８５】
また、図２に示すメニュー画面１００が表示されている状態でリモコン１０の下ボタンを押すと、機能・レコメンドゾーン１２０の中央に位置している推薦コンテンツパネル１２２ａを囲う位置にフォーカス枠１４０が移動し、図４に示すように、機能・レコメンドゾーンフォーカス状態（図３参照）になる。
【００８６】
機能・レコメンドゾーンフォーカス状態において、利用者がリモコン１０の左ボタンを押すと、表示制御部２２０ｃは、機能・レコメンドゾーン１２０にて一列に並べられている各パネル１２１・１２２を右側にスクロールさせ（前記一列の方向の一方の側から他方の側へスクロールさせ）、これにより、フォーカス枠１４０に囲まれるパネルが、前記のスクロールの前にフォーカス枠１４０に囲まれていたパネルより左側に配置されているパネルに変更される。これに対し、利用者がリモコン１０の右ボタンを押すと、表示制御部２２０ｃは、機能・レコメンドゾーン１２０にて一列に並べられている各パネル１２１・１２２を左側にスクロールさせ（前記一列の方向の他方の側から一方の側へスクロールさせ）、これにより、フォーカス枠１４０に囲まれるパネルが、前記のスクロールの前にフォーカス枠１４０に囲まれていたパネルより右側に配置されているパネルに変更される。
【００８７】
つまり、このスクロールによって、フォーカス枠１４０に囲われる箇所（機能・レコメンドゾーン１２０の中央）に位置するパネルが順次切り替わるようになっている。具体的には、図４の状態において左ボタンを押すと、フォーカス枠１４０に囲われるパネルが、推薦コンテンツパネル１２２ａから機能パネル１２１ｂに切り替わる。また、図４の状態において右ボタンを押すと、フォーカス枠１４０に囲われるパネルが、推薦コンテンツパネル１２２ａから、推薦コンテンツパネル１２２ｂへ切り替わる。
【００８８】
また、表示制御部２２０ｃは、機能・レコメンドゾーンフォーカス状態において、図４に示すように、フォーカス枠１４０に囲われるパネルを他のパネルよりも大きく表示させている。すなわち、フォーカス枠１４０に囲われるパネルは、機能・レコメンドゾーン１２０の中央に位置しており、且つ、他のパネルよりも大きく表示されるため、他のパネルよりも目立つように表示されることになる。
【００８９】
さらに、表示制御部２２０ｃは、図４に示されるように、表示中である機能パネル１２１および推薦コンテンツパネル１２２の位置を示すためのスクロールインジケータ４００を表示して利用者の利便性を高めている。このスクロールインジケータ４００において太線で示されている位置が表示中の機能パネル１２１および推薦コンテンツパネル１２２の位置を表している。
【００９０】
また、表示制御部２２０ｃは、機能・レコメンドゾーンフォーカス状態において、フォーカス枠１４０に囲われるパネル（機能パネル１２１または推薦コンテンツパネル１２２）のみ、パネルの下方に示されているコンテンツのタイトルまたはＵＲＬをテロップさせる。図４については、フォーカス枠１４０に囲われている推薦コンテンツパネル１２２ａに示される「○○○」というタイトル文字がテロップされている。
【００９１】
つぎに、図１のパネル選択部２２０ｄについて説明する。パネル選択部２２０ｄは、機能・レコメンドゾーンフォーカス状態において、フォーカス枠１４０に囲われる箇所に位置しているパネル（機能パネル１２１または推薦コンテンツパネル１２２）を選択候補として認識している。そして、機能・レコメンドゾーンフォーカス状態においてリモコン１０の決定ボタンが押されると、利用者によるパネル選択命令がパネル選択部２２０ｄに入力され、パネル選択部（アイコン選択手段）２２０ｄは、この入力時点で選択候補となっているパネル（機能パネル１２１または推薦コンテンツパネル１２２）を選択するようになっている。
【００９２】
そして、パネル選択部２２０ｄは、機能パネル１２１または推薦コンテンツパネル１２２を選択すると、選択したパネルに対応する機能・操作・処理を実行するようになっている。
【００９３】
例えば、機能パネル１２１のうちスマートサーチパネル（図４の検索と記されているパネル）は、メニュー画面１００からスマートサーチ画面へ遷移させる処理を実行するためのアイコンであり、パネル選択部２２０ｄは、スマートサーチパネルを選択すると、メニュー画面１００からスマートサーチ画面へ遷移する処理を行う。
【００９４】
また、パネル選択部２２０ｄは、図５に示す推薦コンテンツパネル（１）や（３）を選択すると、選択された推薦コンテンツパネルに対応する番組を全画面表示するようになっている。また、パネル選択部２２０ｄは、図５に示す推薦コンテンツパネル（２）や（４）を選択すると、選択された推薦コンテンツに対応する番組を録画予約するための設定画面へ遷移する処理を行う。さらに、パネル選択部２２０ｄは、図５に示す推薦コンテンツパネル（６）や（８）を選択すると、選択された推薦コンテンツに対応する録画番組を再生し、図５に示す推薦コンテンツパネル（７）を選択すると、選択された推薦コンテンツパネル（７）に示されているＵＲＬのウェブサイトにアクセスしてディスプレイ２０５に表示する。
【００９５】
パネル選択部２２０ｄは、図６に示す推薦コンテンツパネル（９）や（１０）が選択されると、選択された推薦コンテンツに対応するランキングに関する詳細な情報をメーカーサーバから取り寄せてディスプレイ２０５に表示させる。パネル選択部２２０ｄは、図５に示す推薦コンテンツパネル（１１）を選択すると、推薦コンテンツパネル（１１）に示されているＶＯＤを紹介する画像をメーカーサーバから取り寄せてディスプレイ２０５に表示させる。また、推薦コンテンツパネル（１０）や（１１）が選択された場合、対応するＶＯＤの視聴を行うための設定画面が表示されるようになっていてもよい。
【００９６】
また、パネル選択部２２０ｄは、図６に示す推薦コンテンツパネル（１２）または（１３）が選択された場合、選択された推薦コンテンツパネル（１２）または（１３）にて推薦されているウェブサイトにアクセスしてディスプレイ２０５に表示させるようになっている。
【００９７】
以上示したように、本実施形態の構成では、表示制御部２２０ｃは、抽出処理部２２０ａの抽出処理において裏番組の母集団（第１の母集団）から抽出された推薦コンテンツに対応する推薦コンテンツパネル（推薦アイコン）１２２ａと、抽出処理部２２０ａの抽出処理において未来番組の母集団（第２の母集団）から抽出された推薦コンテンツに対応する推薦コンテンツパネル（推薦アイコン）１２２ｂとをディスプレイ（表示部）２０５に同時に表示させている。これにより、利用者は、ある母集団から抽出された推薦コンテンツの推薦コンテンツパネル１２２ａと、別の母集団から抽出された推薦コンテンツの推薦コンテンツパネル１２２ｂとを同時に確認できるため、従来のコンテンツ推薦機能において生じていた操作上の手間を抑制できるという効果を奏する。
【００９８】
また、本実施形態において、表示制御部２２０ｃは、推薦コンテンツパネル１２２に対応する推薦コンテンツの抽出元となった母集団の属性を示す情報（例えば図５の（１）の「おすすめ裏番組」という文字）を推薦コンテンツパネル１２２に付すことにより、推薦コンテンツパネル１２２の表示形態を、当該推薦コンテンツパネル１２２に対応する推薦コンテンツの抽出元となった母集団の属性に応じて変更している。それゆえ、利用者からすれば、表示されている推薦コンテンツの属性（裏番組，未放送番組）を一目で把握できるというメリットを有する。
【００９９】
さらに、本実施形態において、表示制御部２２０ｃは、推薦コンテンツパネル１２２に対応する推薦コンテンツの推薦理由を示す情報（リボン）を推薦コンテンツパネル１２２に示すことにより、推薦コンテンツパネル１２２の表示形態を、当該推薦コンテンツパネル１２２に対応する推薦コンテンツの推薦理由に応じて変更している。それゆえ、利用者からすれば、表示されている推薦コンテンツの推薦事由（例えば利用者の視聴履歴に基づく推薦等）を一目で把握できるというメリットを有する。
【０１００】
また、本実施形態において、表示制御部２２０ｃは、複数個の推薦コンテンツパネル１２２とテレビ１の制御装置２２０に操作指示を行うための複数個の機能パネル１２１とが一列に並べられた機能・レコメンドゾーン（アイコン表示ゾーン）１２０をディスプレイ２０５に表示させている。そして、表示制御部２２０ｃは、利用者の操作（リモコン１０の操作）に応じて、機能・レコメンドゾーン１２０に示されるパネル（機能パネル１２１または推薦コンテンツパネル１２２）をスクロールさせることで、フォーカス枠１４０に囲われる箇所（所定箇所）に位置するパネルを順次切り替えるようになっている。そして、パネル選択部２２０ｄは、フォーカス枠１４０に囲われる箇所に位置しているパネルを選択候補として認識し、利用者によって選択命令が入力されると、前記選択候補のアイコンを選択するようになっている。したがって、利用者は、スクロールという簡易な操作によって選択候補のアイコンを順次切り替えることが可能になっており、利用者にとってアイコンの選択が容易であるというメリットがある。
【０１０１】
また、同じ利用者によって選択される各推薦コンテンツパネル１２２は推薦理由が共通する傾向にあるため、利用者に選択される傾向のある推薦理由の推薦コンテンツパネル１２２を、利用者が直ぐに選択できる位置（フォーカス枠１４０に囲われる箇所）に初期配置させることが好ましい。
【０１０２】
そこで、本実施形態の表示制御部２２０ｃは、以下のような表示制御を行うようになっていてもよい。
【０１０３】
まず、表示制御部２２０ｃは、推薦コンテンツパネル１２２を推薦理由毎のグループに分類している。例えば、図７に示す例では、推薦コンテンツパネル１２２は、インターネットから取得した情報に基づく事を推薦理由とするグループ（ネット系Ｇｒ.）と、視聴履歴に関係する事を推薦理由とするグループ（履歴Ｇｒ．）と、登録キーワードに関係する事を推薦理由とするグループ（キーワードＧｒ．）とに分類される。また、機能パネル１２１は機能パネルのみからなるグループ（機能系Ｇｒ．）に分類される。なお、図７では、説明の便宜上、推薦コンテンツパネル１２２をＡ−１，Ａ−２，Ｂ−１，Ｂ−２，Ｃ−１，Ｃ−２として示し、機能パネル１２１をＫ−１，・・・として示している。
【０１０４】
例えば、ネット系Ｇｒ．の推薦コンテンツパネルＡ−１から履歴Ｇｒ．の推薦コンテンツパネルＢ−２に選択候補が変更されると、表示制御部２２０ｃは、機能・レコメンドゾーン１２０を図７（ａ）に示される状態から図７（ｂ）に示される状態に遷移させる。そして、図７（ｂ）に示される状態で利用者が決定ボタンを押すと、パネル選択部２２０ｄは推薦コンテンツパネルＢ−２を選択して推薦コンテンツパネルＢ−２に対応する機能を実行することになり、機能・レコメンドゾーン１２０（メニュー画面１００）の表示が終了する。
【０１０５】
以上のようにして推薦コンテンツパネルＢ−２が選択された後に、利用者によって機能・レコメンドゾーン１２０（メニュー画面１００）の表示を開始させるコマンドが入力されると（ホームボタンが押されると）、パネル選択部２２０ｄに過去に選択された推薦コンテンツパネルのうち、選択時点が現時点から最も近い推薦コンテンツパネルに属するグループ（Ｇｒ.）のなかのいずれか１つの推薦コンテンツパネルが機能・レコメンドゾーン１２０の中央（機能・レコメンドゾーンフォーカス状態でフォーカス枠１４０に囲われる箇所）に初期配置されるように表示制御部２２０ｃは機能・レコメンドゾーン１２０の表示を開始するようになっている。つまり、過去に選択された推薦コンテンツパネルのうち選択時点が現時点から最も近いのは、図７（ｂ）に示されるように、推薦コンテンツパネルＢ−２であるため、推薦コンテンツパネルＢ−２が属する履歴Ｇｒ.のなかのいずれかの推薦コンテンツパネルが機能・レコメンドゾーン１２０の中央に初期配置される。本実施形態では、図７（ｃ）に示されるように、推薦コンテンツパネルＢ−１が機能・レコメンドゾーン１２０の中央に初期配置される。勿論、推薦コンテンツパネルＢ−２が機能・レコメンドゾーン１２０の中央に初期配置されてもよい。
【０１０６】
また、図７（ｃ）に示される機能・レコメンドゾーン１２０が表示された後、図７（ｄ）に示されるように選択候補（中央に位置するパネル）が機能パネルＫ−３に切り替わり、パネル選択部２２０ｄが機能パネルＫ−３を選択して機能パネルＫ−３に対応する機能を実行し、機能・レコメンドゾーン１２０（メニュー画面１００）の表示が終了したものとする。この直後に、利用者によって機能・レコメンドゾーン１２０（メニュー画面１００）の表示を開始させるコマンドが入力されると、図７（ｅ）に示すように、機能パネルＫ−３が中央に初期配置されるのではなく、過去に選択された推薦コンテンツパネルのうち選択時点が現時点から最も近い推薦コンテンツパネル（図７（ｂ）のＢ−２）の属するグループ（つまり履歴Ｇｒ）のなかの推薦コンテンツパネルＢ−１が中央に初期配置されるようになっている。
【０１０７】
以上の構成によれば、同じ利用者によって選択される各推薦コンテンツパネル１２２は推薦理由が共通する傾向にあるため、利用者に選択される可能性の高い推薦コンテンツパネル１２２を、利用者が直ぐに選択できる位置（機能・レコメンドゾーン１２０の中央）に初期配置させることで利用者の利便性を高めている。さらに、以上の構成によれば、機能パネル１２１が選択された直後に機能・レコメンドゾーン１２０（メニュー画面１００）の表示指示が利用者から入力されたとしても、機能・レコメンドゾーン１２０の中央に初期配置されるのは機能パネル１２１ではなく推薦コンテンツパネル１２２になる。機能・レコメンドゾーン１２０（メニュー画面１００）を立ち上げた利用者は、まず機能パネル１２１よりも推薦コンテンツパネル１２２に示される推薦コンテンツを確認する傾向にあるため、機能パネル１２１よりも推薦コンテンツパネル１２２を利用者の目につき易い位置（機能・レコメンドゾーン１２０の中央）に初期配置させることで利用者の利便性を高めているのである。
【０１０８】
また、表示制御部２２０ｃは、利用者によって機能・レコメンドゾーン１２０（メニュー画面１００）の表示を開始させるコマンドが入力されると、パネル選択部２２０ｄによって過去に選択された機能パネル１２１および推薦コンテンツパネル１２２のうち現時点から最も近い時点で選択されたのが機能パネル１２１の場合には、中央に初期配置される推薦コンテンツパネル１２２の隣に現時点から最も近い時点で選択された機能パネル１２１が配置されるようにパネルの並び順が定められた機能・レコメンドゾーン１２０を表示させるようになっている。つまり、パネル選択部２２０ｄによって機能パネルＫ−３が選択され（図７（ｄ））、機能パネルＫ−３に対応する機能が実行され、機能・レコメンドゾーン１２０（メニュー画面１００）の表示が終了した後、利用者によって機能・レコメンドゾーン１２０（メニュー画面１００）の表示を開始させるコマンドが入力されると、図７（ｅ）に示すように、機能・レコメンドゾーン１２０においては、中央に初期配置される推薦コンテンツパネルＢ−１の隣に機能パネルＫ−３が配置されるようになっている。以上の構成によれば、機能・レコメンドゾーン１２０（メニュー画面１００）を立ち上げた利用者は機能パネル１２１よりも推薦コンテンツパネル１２２に示される推薦コンテンツを最初に確認する傾向にあるものの、前回選択された機能パネル１２１は再度選択される可能性があることから、機能パネル１２１よりも推薦コンテンツパネル１２２を利用者の目につき易い位置（機能・レコメンドゾーン１２０の中央）に初期配置させつつも、つぎに利用者の目につき易い位置（前記の中央の隣）に前回選択された機能アイコン（第１の機能アイコン）１２１を初期配置させるようになっている。これにより利用者の利便性がより高められるのである。
【０１０９】
また、制御装置２２０の各部の機能は、次のようにＣＰＵを用いてソフトウェアによって実現してもよい。
【０１１０】
すなわち、制御装置２２０は、制御装置２２０の各部の機能を実現する制御プログラムの命令を実行するＣＰＵ、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本実施形態の目的は、上述した機能を実現する上記制御プログラムのプログラムコード（実行形式プログラム、中間コードプログラム、ソースプログラム）をコンピュータで読み取り可能に記録した記録媒体をテレビ１に供給し、そのコンピュータ（またはＣＰＵやＭＰＵ）が記録媒体に記録されているプログラムコードを読み出し実行することによっても、達成可能である。
【０１１１】
記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１３】
〔まとめ〕
本発明のコンテンツ推薦装置は、利用者に推薦する推薦コンテンツを抽出する抽出処理を行う抽出手段と、前記推薦コンテンツを特定するものであり且つ当該特定されている推薦コンテンツに関する操作指示を行うための推薦アイコンを表示部に表示させる表示制御手段とを備えたコンテンツ推薦装置であって、前記表示制御手段は、前記抽出処理において第１の母集団から抽出された推薦コンテンツに対応する推薦アイコンと、前記抽出処理において第１の母集団とは属性の異なる第２の母集団から抽出された推薦コンテンツに対応する推薦アイコンとを前記表示部に同時に表示させるようになっており、さらに、前記表示制御手段は、（ａ）複数個の前記推薦アイコンを一列に並べたアイコン表示ゾーンを前記表示部に表示させ、（ｂ）利用者の操作に応じて、前記アイコン表示ゾーンのうちのフォーカス枠に囲われる箇所に位置するアイコンを順次切り替えるようになっており、前記コンテンツ推薦装置は、前記フォーカス枠に囲われる箇所に位置しているアイコンを選択候補として認識し、利用者からアイコン選択命令が入力されると前記選択候補のアイコンを選択するアイコン選択手段を備えることを特徴とする。
【０１１４】
本発明のコンテンツ推薦装置において、前記表示制御手段は、前記推薦アイコンに対応する推薦コンテンツの推薦理由毎のグループに分類しており、前記アイコン表示ゾーンの表示を開始するためのコマンドが利用者から入力されると、前記アイコン選択手段に過去に選択された推薦アイコンのうち選択時点が現時点から最も近い推薦アイコンの属するグループのなかのいずれかの推薦アイコンが前記フォーカス枠に囲われる箇所に初期配置されるように前記アイコン表示ゾーンの表示を開始することを特徴とするようになっていてもよい。
【０１１５】
本発明のコンテンツ推薦装置は、利用者に推薦する推薦コンテンツを抽出する抽出処理を行う抽出手段と、前記推薦コンテンツを特定するものであり且つ当該特定されている推薦コンテンツに関する操作指示を行うための推薦アイコンを表示部に表示させる表示制御手段とを備えたコンテンツ推薦装置であって、前記表示制御手段は、前記抽出処理において第１の母集団から抽出された推薦コンテンツに対応する推薦アイコンと、前記抽出処理において第１の母集団とは属性の異なる第２の母集団から抽出された推薦コンテンツに対応する推薦アイコンとを前記表示部に同時に表示させるようになっており、さらに、前記表示制御手段は、（ａ）複数個の前記推薦アイコンを一列に並べたアイコン表示ゾーンを前記表示部に表示させ、（ｂ）利用者の操作に応じて、前記アイコン表示ゾーンに示されるアイコンをスクロールさせることで、前記アイコン表示ゾーンのうちの所定箇所に位置するアイコンを順次切り替えるようになっており、前記コンテンツ推薦装置は、前記所定箇所に位置しているアイコンを選択候補として認識し、利用者からアイコン選択命令が入力されると前記選択候補のアイコンを選択するアイコン選択手段を備えることを特徴とする構成であってもよい。
【０１１６】
本発明のコンテンツ推薦装置において、前記表示制御手段は、前記推薦アイコンを、前記推薦アイコンに対応する推薦コンテンツの推薦理由毎のグループに分類しており、前記アイコン表示ゾーンの表示を開始するためのコマンドが利用者から入力されると、前記アイコン選択手段に過去に選択された推薦アイコンのうち選択時点が現時点から最も近い推薦アイコンの属するグループのなかのいずれかの推薦アイコンが前記所定箇所に初期配置されるように前記アイコン表示ゾーンの表示を開始する構成であってもよい。
【０１１７】
本発明のコンテンツ推薦装置において、前記アイコン表示ゾーンは複数個の前記推薦アイコンと、前記推薦アイコンとは異なるものであり前記コンテンツ推薦装置に対する操作指示を行うための複数個の機能アイコンとを一列に並べるような構成であってもよい。
〔その他〕
本発明は下記の通り記載することもできる。
【０１１８】
上記の目的の達成のため、本発明のコンテンツ推薦装置は、利用者に推薦する推薦コンテンツを抽出する抽出処理を行う抽出手段と、前記推薦コンテンツを特定するものであり且つ当該特定されている推薦コンテンツに関する操作指示を行うための推薦アイコンを表示部に表示させる表示制御手段とを備え、前記表示制御手段は、前記抽出処理において第１の母集団から抽出された推薦コンテンツに対応する推薦アイコンと、前記抽出処理において第１の母集団とは属性の異なる第２の母集団から抽出された推薦コンテンツに対応する推薦アイコンとを前記表示部に同時に表示させることを特徴とする。
【０１１９】
本発明の構成によれば、利用者は、第１の母集団（例えば裏番組からなる母集団）から抽出された推薦コンテンツの推薦アイコンと、第２の母集団（例えば未放送番組からなる母集団）から抽出された推薦コンテンツの推薦アイコンとを同時に確認できるため、従来のコンテンツ推薦機能において生じていた操作上の手間を抑制できるという効果を奏する。
【０１２０】
また、本発明のコンテンツ推薦装置において、前記表示制御手段は、前記推薦アイコンの表示形態を、当該推薦アイコンに対応する推薦コンテンツの抽出元となった母集団の属性に応じて変更するようになっていてもよい。具体的には、前記表示制御手段は、前記推薦アイコンに対応する推薦コンテンツの抽出元となった母集団の属性を示す情報を前記推薦アイコンに付すことにより、前記推薦アイコンの表示形態を、前記推薦アイコンに対応する推薦コンテンツの抽出元となった母集団の属性に応じて変更する構成であってもよい。
【０１２１】
この構成によれば、利用者からすれば、表示されている推薦コンテンツの属性（裏番組，未放送番組）を一目で把握できるというメリットを有する。
【０１２２】
また、本発明のコンテンツ推薦装置において、前記表示制御手段は、前記推薦アイコンの表示形態を、前記推薦アイコンに対応する推薦コンテンツの推薦理由に応じて変更するようになっていてもよい。具体的には、前記表示制御手段は、前記推薦アイコンに対応する推薦コンテンツの推薦理由を示す情報を前記推薦アイコンに示すことにより、前記推薦アイコンの表示形態を、前記推薦アイコンに対応する推薦コンテンツの推薦理由に応じて変更する構成であってもよい。
【０１２３】
この構成によれば、利用者からすれば、表示されている推薦コンテンツの推薦事由（例えば利用者の視聴履歴に基づく推薦等）を一目で把握できるというメリットを有する。
【０１２４】
また、本発明のコンテンツ推薦装置において、前記表示制御手段は、（ａ）複数個の前記推薦アイコンと、前記推薦アイコンとは異なるものであり前記コンテンツ推薦装置に対する操作指示を行うための複数個の機能アイコンとが一列に並べられたアイコン表示ゾーンを前記表示部に表示させ、（ｂ）利用者の操作に応じて、前記アイコン表示ゾーンに示されるアイコンをスクロールさせることで、前記アイコン表示ゾーンのうちの所定箇所に位置するアイコンを順次切り替えるようになっており、前記所定箇所に位置しているアイコンを選択候補として認識し、利用者からアイコン選択命令が入力されると前記選択候補のアイコンを選択するアイコン選択手段を備える構成であってもよい。
【０１２５】
この構成によれば、利用者は、スクロールという簡易な操作によって選択候補のアイコンを順次切り替えることが可能になっており、利用者にとってアイコンの選択が容易であるというメリットがある。
【０１２６】
さらに、本発明のコンテンツ推薦装置において、前記表示制御手段は、（ａ）複数個の前記推薦アイコンと、前記推薦アイコンとは異なるものであり前記コンテンツ推薦装置に対する操作指示を行うための複数個の機能アイコンとを一列に並べたアイコン表示ゾーンを前記表示部に表示させ、（ｂ）利用者の操作に応じて、前記アイコン表示ゾーンに示されるアイコンをスクロールさせることで、前記アイコン表示ゾーンのうちの所定箇所に位置するアイコンを順次切り替えるようになっており、前記所定箇所に位置しているアイコンを選択候補として認識し、利用者からアイコン選択命令が入力されると前記選択候補のアイコンを選択するアイコン選択手段を備え、さらに、前記表示制御手段は、前記推薦アイコンを前記推薦理由毎のグループに分類しており、前記アイコン表示ゾーンの表示を開始するためのコマンドが利用者から入力されると、前記アイコン選択手段に過去に選択された推薦アイコンのうち選択時点が現時点から最も近い推薦アイコンの属するグループのなかのいずれかの推薦アイコンが前記所定箇所に初期配置されるように前記アイコン表示ゾーンの表示を開始するような構成であってもよい。
【０１２７】
この構成によれば、利用者は、スクロールという簡易な操作によって選択候補のアイコンを順次切り替えることが可能になっており、利用者にとってアイコンの選択が容易であるというメリットがある。
【０１２８】
また、以上の構成によれば、アイコン表示ゾーンの表示を開始した場合に利用者が最初に目につくアイコンは前記所定箇所に初期配置されているアイコン（選択候補のアイコン）である可能性が高い。そして、以上の構成によれば、アイコン表示ゾーンの表示を開始させると、過去に選択された推薦アイコンのうち選択時点が現時点から最も近い推薦アイコンと同じグループ（推薦理由が共通する推薦アイコンからなるグループ）に属する推薦アイコンを前記所定箇所に初期配置するようになっている。すなわち、同じ利用者によって選択される各推薦アイコンは推薦理由が共通する傾向にあるため、利用者に選択される可能性の高い推薦アイコンを、利用者が直ぐに選択できる位置（所定箇所）に初期配置させることで利用者の利便性を高めているのである。
【０１２９】
さらに、以上の構成によれば、前記機能アイコンが選択された直後に前記アイコン表示ゾーンの表示指示が利用者から入力されたとしても、前記所定箇所に初期配置されるのは前記機能アイコンではなく前記推薦アイコンになる。つまり、アイコン表示ゾーンを立ち上げた利用者は、まず前記機能アイコンよりも前記推薦アイコンに示される推薦コンテンツを確認する傾向にあるため、前記機能アイコンよりも前記推薦アイコンを利用者の目につき易い位置（所定箇所）に初期配置させることで利用者の利便性を高めているのである。
【０１３０】
また、本発明のコンテンツ推薦装置において、前記表示制御手段は、前記コマンドが利用者によって入力されると、前記アイコン選択手段に過去に選択された機能アイコンおよび推薦アイコンのうち現時点から最も近い時点で選択されたのが第１の機能アイコンの場合には、前記所定箇所に初期配置される推薦アイコンの隣に第１の機能アイコンが配されるようにアイコンの並び順が定められたアイコン表示ゾーンを表示させる構成であってもよい。
【０１３１】
この構成によれば、アイコン表示ゾーンを立ち上げた利用者は前記機能アイコンよりも前記推薦アイコンに示される推薦コンテンツを最初に確認する傾向にあるものの、前回選択された機能アイコンは再度選択される可能性があることから、機能アイコンよりも推薦アイコンを利用者の目につき易い位置（所定箇所）に初期配置させつつも、つぎに利用者の目につき易い位置（所定箇所の隣）に前回選択された機能アイコン（第１の機能アイコン）を初期配置させるようになっている。これにより利用者の利便性を高めているのである。
【０１３２】
また、本発明のコンテンツ推薦装置は、前記抽出処理とは異なる手法にて定められる推薦コンテンツを示す推薦コンテンツ情報を格納するサーバとネットワークを介して接続されており、前記サーバから前記推薦コンテンツ情報を取得する取得手段を備え、前記表示制御手段は、前記推薦コンテンツ情報に示される推薦コンテンツに対応する推薦アイコンを前記表示部に表示させる構成であってもよい。
【０１３３】
この構成によれば、ネットワーク（インターネット）を介して外部から取得される推薦コンテンツ情報に示される推薦コンテンツ（例えば視聴率ランキングに基づく推薦コンテンツ等）利用者に知らしめることが可能になる。
【０１３４】
また、本発明は、前記のコンテンツ推薦装置と前記表示部とを備えているテレビジョン受像機であってもよい。
【０１３５】
さらに、本発明は、利用者に推薦する推薦コンテンツを抽出する抽出処理を行う抽出手段と、前記推薦コンテンツを特定するものであり且つ当該特定されている推薦コンテンツに関する操作指示を行うための推薦アイコンを表示部に表示させる表示制御手段とを含むコンテンツ推薦装置の制御方法であって、前記表示制御手段が、前記抽出処理において第１の母集団から抽出された推薦コンテンツに対応する推薦アイコンと、前記抽出処理において第１の母集団とは属性の異なる第２の母集団から抽出された推薦コンテンツに対応する推薦アイコンとを前記表示部に同時に表示させる工程を含むことを特徴とする。
【０１３６】
さらに、前記コンテンツ推薦装置は、コンピュータによって実現されてもよく、この場合には、コンピュータを前記コンテンツ推薦装置の各手段として機能させるプログラム、および、このプログラムを記録したコンピュータ読み取り可能な記録媒体も、本発明の範疇に入る。
【産業上の利用可能性】
【０１３７】
本発明のコンテンツ推薦装置は、テレビ放送を受信して表示するテレビジョン受像機に利用可能である。
【符号の説明】
【０１３８】
１    テレビ（テレビジョン受像機）
１０    リモコン
２０    ＨＤＤ
１００    メニュー画面
１２０  機能・レコメンドゾーン（アイコン表示ゾーン）
１２１  機能パネル（機能アイコン）
１２２  推薦コンテンツパネル（推薦アイコン）
１２２ａ〜１２２ｃ  推薦コンテンツパネル（推薦アイコン）
２０５  ディスプレイ（表示部）
２２０  制御装置（コンテンツ推薦装置）
２２０ａ  抽出処理部（抽出手段）
２２０ｂ  取得部（取得手段）
２２０ｃ  表示制御部（表示制御手段）
２２０ｄ  パネル選択部（アイコン選択手段）
【図１】
2014027672.tif 000003
【図２】
2014027672.tif 000004
【図３】
2014027672.tif 000005
【図４】
2014027672.tif 000006
【図５】
2014027672.tif 000007
【図６】
2014027672.tif 000008
【図７】
2014027672.tif 000009